(57)【要約】【課題】簡易な方法でカメラ非使用時に周囲に邪魔にならないようにカメラの向きを安定化させ、かつレンズから外れにくいレンズキャップを提供すること。【解決手段】レンズ鏡筒の対物側のレンズ面を覆うキャップ本体と、キャップの半径方向に移動可能かつ外方向に付勢されかつ外周側に設けられた第１の係合部が該レンズ先端部に設けられた縁部内面の第２の係合部に係合する一対のキャップ保持部材を備えるレンズキャップにおいて、前記キャップ本体側面の、前記キャップ保持部材の対が付勢される方向の延長上に開口部の対が設けられ、前記キャップ保持部材の対に設けられた凸部が、前記キャップ保持部材が前記レンズ先端部に係合する位置において、前記開口部の一部を塞ぐことを特徴とする。【選択図】図３
2017037206.tif 000002
【特許請求の範囲】
【請求項１】
レンズ鏡筒の対物側のレンズ面を覆うキャップ本体と、キャップの半径方向に移動可能かつ外方向に付勢されかつ外周側に設けられた第１の係合部が該レンズ先端部に設けられた縁部内面の第２の係合部に係合する一対のキャップ保持部材を備えるレンズキャップにおいて、
前記キャップ本体側面の、前記キャップ保持部材の対が付勢される方向の延長上に開口部の対が設けられ、
前記キャップ保持部材の対に設けられた凸部が、前記キャップ保持部材が前記レンズ先端部に係合する位置において、前記開口部の一部を塞ぐことを特徴とするレンズキャップ。
【請求項２】
前記開口部は矩形状であって可撓性ベルト部材を挿通可能であり、前記凸部は前記キャップ保持部材が前記レンズ先端部に係合する位置において、前記開口部に挿通されたベルト部材を押圧することを特徴とする請求項１に記載のレンズキャップ。
【請求項３】
前記レンズ鏡筒がカメラ本体から突出して搭載あるいは着脱可能なカメラ本体と、請求項２に記載のレンズキャップとを含むカメラシステムにおいて、
前記ベルト部材を取り付け可能でありカメラ本体の前記レンズ鏡筒を挟んで対向する２面に設けられたベルト固定部を有することを特徴とするカメラシステム。
【発明の詳細な説明】
【技術分野】
【０００１】
本発明は、ストラップ取付部を持ち大型レンズを搭載もしくは装着可能なカメラに取り付ける、レンズキャップに関する。
【背景技術】
【０００２】
近年、撮影性能を向上させるために大型レンズを搭載もしくは装着可能なカメラが存在する。これらのカメラは非使用時にもレンズがカメラ本体から突出していることが特徴である。カメラは非使用時にレンズを保護する必要があり、レンズ鏡筒先端に剛性の高いレンズキャップを装着することが多い。
【０００３】
レンズキャップは、ユーザが即座に撮影できるようにレンズ鏡筒から外しやすいことが求められる。そのため従来、半径方向に摺動可能なキャップ保持部材がレンズ鏡筒先端の凹凸部に係合して装着され、ユーザがレンズキャップの中心方向にキャップ保持部材を移動させて係合解除することで、簡単に外すことができるレンズキャップが存在する（特許文献１参照）。またカメラには、本体の両脇にストラップ取付部材が設けられており、非使用時にユーザはストラップを用いて首や肩からカメラを吊り下げることができる。
【０００４】
特許文献１に記載のレンズキャップは、カメラ非使用時に意図せずしてレンズ鏡筒から外れ、ユーザが紛失してしまうという問題があった。この問題に対してカメラ撮影時に外したレンズキャップを紛失しないために、レンズキャップとカメラ本体とを紐部材で結合する技術が存在する(特許文献２参照)。
【０００５】
しかしながらこのような技術は、カメラ非使用時に意図せずしてレンズキャップがレンズ鏡筒から外れて、レンズを保護できなくなる問題を解決していない。
【０００６】
また大型レンズを搭載もしくは装着したカメラは、ユーザが首や肩からカメラを吊り下げた時に、大きなレンズが周囲に突出して移動の邪魔になる可能性がある。図８はユーザが非使用のカメラをストラップを用いて肩から吊り下げた状態を示す概念図である。特に図８（Ａ）はレンズが水平方向に突出していることを示している。従って大きなレンズを取り付けたカメラを首や肩から吊り下げるときは、図８（Ｂ）や図８（Ｃ）に示すようにレンズ光軸方向が略鉛直方向を向いていることが望ましい。
【０００７】
この課題に対して従来、レンズにストラップ取り付け部を一定角度範囲で回動自在に取り付けた技術がある（特許文献３参照）。しかし特許文献３に記載の技術は、ストラップ取付部回動機構によってレンズがさらに大型化する問題がある。
【先行技術文献】
【特許文献】
【０００８】
【特許文献１】特開２００５−１１４８７４号公報
【特許文献２】特開２０００−１９４０３５号公報
【特許文献３】特開平５−１１３３７号公報
【発明の概要】
【発明が解決しようとする課題】
【０００９】
本発明は、簡易な方法でカメラ非使用時に周囲に邪魔にならないようにカメラの向きを安定化させ、かつレンズキャップをレンズから外れにくくすることを目的とする。
【課題を解決するための手段】
【００１０】
上記の目的を達成するために、本発明に係るレンズキャップは、
レンズ鏡筒の対物側のレンズ面を覆うキャップ本体と、半径方向に移動可能かつ外方向に付勢されかつ外周側に設けられた第１の係合部が該レンズ先端部に設けられた縁部内面の第２の係合部に係合する一対のキャップ保持部材を備え、
前記キャップ本体側面の、前記キャップ保持部材の対が付勢される方向の延長上に開口部の対が設けられ、
前記キャップ保持部材の対に設けられた凸部が、前記キャップ保持部材が前記レンズ先端部に係合する位置において、前記開口部の一部を塞ぐことを特徴とする。
【００１１】
また、本発明の他の特徴とするところは、
前記開口部は矩形状であって可撓性ベルト部材を挿通可能であり、前記凸部は前記キャップ保持部材が前記レンズ先端部に係合する位置において、前記開口部に挿通されたベルト部材を押圧することを特徴とする。
【００１２】
また、本発明のその他の特徴とするところは、
前記レンズ鏡筒がカメラ本体から突出して搭載あるいは着脱可能なカメラ本体と、請求項２に記載のレンズキャップとを含むカメラシステムであって、
前記ベルト部材を取り付け可能でありカメラ本体の前記レンズ鏡筒を挟んで対向する２面に設けられたベルト固定部を有するカメラシステムであることを特徴とする。
【発明の効果】
【００１３】
本発明によれば、簡易な方法でカメラ非使用時に周囲に邪魔にならないようにカメラの向きを安定化させ、かつレンズキャップをレンズから外れにくくすることができる。
【図面の簡単な説明】
【００１４】
【図１】交換レンズとカメラを表す斜視図
【図２】交換レンズの対物側の詳細図
【図３】レンズキャップを示す斜視図
【図４】レンズキャップをカメラ本体に装着した交換レンズに取り付けた状態を表す斜視図
【図５】レンズキャップをカメラ本体に装着した交換レンズに取り付けた状態を表す断面斜視図
【図６】レンズキャップをレンズから取り外し可能にした状態を表す断面斜視図
【図７】レンズキャップをレンズから取り外して使用可能状態となったカメラを示す斜視図
【図８】カメラ非使用時にストラップを介してユーザが肩から吊り下げた状態を示す概念図
【発明を実施するための形態】
【００１５】
以下、本発明を実施するための形態を図面に基づいて説明する。
＜第１の実施形態＞
図１は本発明の実施例にかかるカメラシステムを表す斜視図である。本実施例ではサイズの異なるレンズを着脱可能なレンズ交換型カメラを用いて説明するが、非レンズ交換型カメラであっても良い。１は交換レンズであり、公知のバヨネット機構でカメラ本体２に装着可能である。すなわちレンズ１は矢印Ａ方向にマウント２１に当接する位置まで押入した後に矢印Ｂ方向に一定角度回転させると、マウント２１に突出したマウントロックピン２２がレンズ１に係合することで角度を規制され、カメラ本体２に固定される。
【００１６】
ロック解除ボタン２３はマウントロックピン２２に連動している。ユーザがロック解除ボタン２３を押すとマウントロックピン２２のレンズ１に対する係合が解除され、ユーザはレンズ１をカメラ本体２から外すことができる。２４はストラップ取付部である。主に布や革などの可撓部材からなるストラップ３(後述)をストラップ取付部２４に括りつけることで、ユーザは非使用時にユーザが首や肩からカメラを吊り下げたりするのに用いることができる。本実施例ではストラップ取付部２４はカメラ本体２に固定されているが、矢印Ｃ方向に回転自在であっても良い。
【００１７】
図２はレンズ１の対物側の詳細図である。また図３は本発明の実施例にかかるレンズキャップを示す斜視図である。特に図３（Ａ）は全体を示す図である。また図３（Ｂ）はレンズキャップ裏面の一部を示す図である。図２に示すように、レンズ前玉１１の周囲には内壁に凹凸部１３が形成された縁部１２が設けられている。後述するように凹凸部１３はレンズキャップ４を装着する時に、レンズキャップ４の外周に設けられた凹凸部に係合する。図３に示すように円盤形状のレンズキャップ本体部材４１に設けられた切り欠き部４１１には、キャップ保持部材４２が半径方向に摺動可能に収納されている。
【００１８】
キャップ保持部材４２はレンズキャップ４内部に設けられたバネ部材(非図示)によって半径外方向に付勢される。キャップ保持部材４２には外壁に凹凸部４２１が形成された円弧リブ４２２が設けられている。レンズキャップ本体部材４１の側面にはキャップ保持部材４２の付勢方向かつキャップ保持部材４２より外周側に矩形開口部４１２が設けられている。矩形開口部４１２の側壁のうちキャップ保持部材４２に近接する面４１３および対向する面４１４には、キャップ保持部材４２の付勢方向に開口部４１５、開口部４１６が設けられる。
【００１９】
キャップ保持部材４２の外周部に設けられた凸部４２３が開口部４１５を挿通し、凸部４２３の端４２４が矩形開口部４１２内に進入する。端４２４と面４１４の距離は、後述するストラップ３の厚さより小さい。
【００２０】
図４、５は本発明の実施例にかかるレンズキャップ４を、カメラ本体２に装着した交換レンズ１に取り付けた状態を表す斜視図と断面斜視図である。図４に示すようにストラップ３はレンズキャップ４の矩形開口部４１２に通された後に、カメラ本体２のストラップ取付部２４に括りつけられる。図５に示すようにキャップ保持部材４２が半径外方向に付勢されることで、レンズ１の凹凸部１３とキャップ保持部材４２の凹凸部４２１が係合し、レンズキャップ４はレンズ１に係止される。同時に凸部４２３の端４２４がストラップ３を押圧する。
【００２１】
端４２４と面４１４の距離はストラップ３の厚さより小さいので、ストラップ３は開口部４１６に押し込まれ、レンズキャップ４はストラップ３に係止される。レンズキャップ４がレンズ１とストラップ３に同時に係止されることで、レンズキャップ４がレンズ１から外れにくくなり、さらにストラップ３に予め通されていることで無くすことがない。またユーザがカメラ非使用時に首や肩から吊り下げた時に、レンズ１をカメラ本体２に対して安定して上に向けることができ、周囲の邪魔にならない。
【００２２】
図６は図４の状態からレンズキャップ４のレンズ１への係合状態を解除し、レンズキャップ４をレンズ１から取り外し可能にした状態を表す断面斜視図である。ユーザはキャップ保持部材４２の面４２５をつまむなどしてキャップ保持部材４２を付勢方向と逆の方向へ摺動させることが可能である。ユーザがキャップ保持部材４２の面４２５をつまむなどしてキャップ保持部材４２を付勢方向と逆方向に摺動させると、凹凸部１３と凹凸部４２１の係合が解除される。同時に凸部４２３が矩形開口部４１２から退避しストラップ３への押圧が解除される。
【００２３】
従って、ユーザはレンズキャップ４をストラップ３に引っ掛かることなく、レンズ１から外すことができる。
【００２４】
図７は図４の状態からレンズキャップ４をレンズ１から取り外して、使用可能状態となったカメラを示す斜視図である。レンズキャップ４はストラップ３に沿って、ストラップ取付部２４近傍から肩かけ部の中間までをスライド可能である。従ってカメラ使用時にレンズ１から取り外しても、レンズキャップ４をなくすことが無い。
【００２５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２６】
１  レンズ、１１  レンズ前玉、１２  レンズ対物側先端の縁部、
１３  レンズに設けられた凹凸部、２  カメラ本体、２１  カメラマウント、
２２  マウントロックピン、２３  ロック解除ボタン、２４  ストラップ取付部、
３  ストラップ、４  レンズキャップ、４１  レンズキャップ本体部材、
４１１  レンズキャップ本体部材に設けた切り欠き部、４１２  矩形開口部、
４１３  矩形開口部側壁、４１４  矩形開口部側壁、
４１５  矩形開口部側壁に設けた開口部、４１６  矩形開口部側壁に設けた開口部、
４２  キャップ保持部材、４２１  凹凸部、４２２  円弧リブ、４２３  凸部、
４２４  凸部端、４２５  キャップ保持部材のつまみ面
【図１】
2017037206.tif 000003
【図２】
2017037206.tif 000004
【図３】
2017037206.tif 000005
【図４】
2017037206.tif 000006
【図５】
2017037206.tif 000007
【図６】
2017037206.tif 000008
【図７】
2017037206.tif 000009
【図８】
2017037206.tif 000010